(57)【要約】【課題】  粘着テープを効率よく切断するテープカッターを提供する。【解決手段】  粘着テープをテープカッター本体１００の壁板３、４間に回転自在に支持するとともに、テープカッター本体に設けられたカッター刃１１による粘着テープ切断時にテープカッター本体を把持するテープカッターにおいて、前記壁板間に収納可能な切刃１５を備え、この切刃は、前記テープカッター本体から外周側に突出する。【選択図】    図１
2006124144.tif 000002
【特許請求の範囲】
【請求項１】
粘着テープをテープカッター本体の壁板間に回転自在に支持するとともに、テープカッター本体に設けられたカッター刃による粘着テープ切断時にテープカッター本体を把持するテープカッターにおいて、
前記壁板間に収納可能な切刃を備え、この切刃は、前記テープカッター本体から外周側に突出することを特徴とするテープカッター。
【請求項２】
前記切刃は、一端を揺動可能に前記壁板の内面に支持され、他端に切刃部を備え、前記切刃部が前記切刃の揺動により前記テープカッター本体から外周側に突出することを特徴とする請求項１に記載のテープカッター。
【請求項３】
一端が前記壁板間に揺動可能に支持され、他端が前記粘着テープの外周面を押さえ、前記テープカッター本体との間で粘着テープを固定する押さえ部材を設けたことを特徴とする請求項１または２に記載のテープカッター。
【請求項４】
前記他端に粘着テープを切断するカッター刃を設けたことを特徴とする請求項２に記載のテープカッター。
【発明の詳細な説明】
【技術分野】
【０００１】
本発明は、粘着テープを切断するテープカッターに関するものである。
【背景技術】
【０００２】
巻回された粘着テープを回転可能に支持し、把持することができるテープカッターがある（特許文献１参照）。
【特許文献１】特開平９−２０４４６号公報
【発明の開示】
【発明が解決しようとする課題】
【０００３】
テープカッターを使用して粘着テープを貼付する作業時において、ダンボール箱等に貼付された粘着テープを剥した後に改めて粘着テープを貼付する作業となることが多い。このような場合には、別に用意したカッターナイフ等を用いて粘着テープを切断し、その後、テープカッターを持って粘着テープを貼付することになるため、作業効率が悪いという指摘があった。
【０００４】
このような課題を鑑みて作業効率を向上するテープカッターを提供することを目的とする。
【課題を解決するための手段】
【０００５】
本発明は、粘着テープをテープカッター本体の壁板間に回転自在に支持するとともに、テープカッター本体に設けられたカッター刃による粘着テープ切断時にテープカッター本体を把持するテープカッターにおいて、前記壁板間に収納可能な切刃を備え、この切刃は、前記テープカッター本体から外周側に突出することを特徴とする。
【発明の効果】
【０００６】
したがって、本発明では、テープカッター本体から外周側に突出する切刃を備えたので、ダンボール等を閉口する粘着テープを容易に切断することができ、作業効率を向上することができる。
【発明を実施するための最良の形態】
【０００７】
以下、本発明の一実施形態を添付図面に基づいて説明する。
【０００８】
図１から図４は、本発明のテープカッターの構成を示し、テープカッター本体１００は、ポリスチレン、ポリエチレン等のプラスチック材を使用して成形される。テープカッター本体１００には、図示しない巻回された粘着テープの巻芯を回転可能に支持する円筒部１と、円筒部１から粘着テープが繰り出され、粘着テープを切断する刃部２が形成される。
【０００９】
テープカッター本体１００は、円筒部１の中心軸に対して軸直方向に２分割されるように、平行に設置された壁板３、４から構成されており、それぞれの壁板３、４には、円筒部１を構成する円筒部片５、６が形成され、この円筒部片５、６は互いに脱着可能に嵌合するように構成される。ここで壁板３、４の外形は回転可能に支持する粘着テープの最大径より大きく形成される。
【００１０】
また、一方の壁板４の内面に他方の壁板３側に突出する２つの凸部７が形成され、また他方の壁板３には粘着テープを切断するカッター刃１１を固定する刃部２が形成され、刃部２には、凸部７に脱着可能に嵌合する凹部８が形成される。
【００１１】
このような構成により、テープカッター本体１００は、分割可能に構成され、テープ交換時等にテープカッター本体１００を分割して容易に粘着テープを交換することが可能となる。なお、テープカッター本体１００の底面は直線状に形成され、テープカッター本体１００が安定的に自立することができる。
【００１２】
円筒部１を構成する円筒部片５、６の内側は、作業時に手が入るように中空状に構成される。また、壁板３、４の上部縁部の一部分を連結し、装着された粘着テープを外方より覆う覆板９、１０を設ける。
【００１３】
このような構成とすることで、粘着テープ切断時に指を円筒部片５、６の内側に入れるとともに覆板９、１０に掌を添えて、テープカッター本体１００を確実に把持しつつ粘着テープを確実にカットすることができる。なお、作業性を向上するため、円筒部片５、６の中空部の一部を直線状にして、把持しやすいようにしてもよい。
【００１４】
刃部２の上端２ａには平面部が形成され、その角部にはカッター刃１１が固定されている。このカッター刃１１は、金属製のカッター刃の他、プラスチックスで一体的に形成することも、また紙製のカッター刃を用いることもできる。また、壁板３、４の底部縁部の一部には、壁板３、４を接続する補助板１２、１３が設けられており、全体の形状の安定性を一層よくしている。
【００１５】
また、覆板９、１０の一方には、フック１４が固定されており、不使用時には、テープカッターを壁板等に掛けておくことができる。
【００１６】
次に本発明のテープカッターの特徴的な構成である、収納式切刃１５について説明する。この収納式切刃１５は、例えばダンボール箱を閉口した粘着テープを切断するときにテープカッター本体１００より突出して使用されるものである。
【００１７】
図５は、収納式切刃の構成の一例を示すものである。
【００１８】
平板状の収納式切刃１５は、壁板３に沿って設置され、その一端１５ａを壁板３の内面に揺動可能に固定される。切刃１５の略中央部には、壁板４側の突出する凸部１５ｂが形成されており、この凸部１５ｂに接触する板バネ１６が、壁板３の補助板１２上に固定され、板バネ１６の付勢力により収納式切刃１５は上方に付勢される。
【００１９】
収納式切刃１５が設けられた壁板３には、所定の位置に貫通孔３ａが形成される。貫通孔３ａは、収納式切刃１５の揺動中心を中心とした円弧状の曲溝部３ｂと、その下端側に壁板３の底面と平行に形成された直線溝３ｃとからＬ字状に形成される。収納式切刃１５には、形成された貫通孔３ａと重なる溝１５ａが形成され、この溝１５ａは収納式切刃１５の長手方向に長い長溝状に形成される。そして、壁板３の貫通孔３ａと収納式切刃１５の溝１５ａと貫通して貫通孔３ａに沿って移動する凸部を備えたノブ１７が設けられる。このような構成によりノブ１７を貫通孔３ａに沿って移動させることで、収納式切刃１５が揺動する。ここで、収納式切刃１５の揺動量は、貫通孔３ａによって規制される。
【００２０】
また、収納式切刃１５の他端１５ｃ側の下面に切刃部１５ｄが形成され、収納式切刃１５が揺動することにより、切刃部１５ｄが壁板３の底面より下側に突出する。この状態で、ノブ１７を貫通孔３ａの直線溝３ｃ内にスライドさせることで、収納式切刃１５を底面から突出した状態に固定することができる。一方、ノブ１７を曲溝部３ｂにスライドさせることで、板バネ１６の付勢力により収納式切刃１５は上方に移動し、テープカッター本体１００の壁板間に収納される。なお、収納式切刃１５をテープカッター本体１００に固定するためのボルト、ナット類は図示しない。
【００２１】
このような収納式切刃１５をテープカッター本体から外側に突出するようにテープカッターに設けることにより、ダンボール箱を閉口した粘着テープを切り、ダンボール箱を開口するのに有用である。なお、本発明のような収納式切刃を設けることなく、壁板の外面にカッターナイフを保持するホルダーを設けるようにしてもよい。
【００２２】
図６は、収納式切刃の他の実施形態を示す図である。この実施形態では、偏心軸を用いて収納式切刃を揺動させ、壁板３の底面より下側に突出させるものである。
【００２３】
この実施形態では、平板状の収納式切刃２０には、壁板３に揺動可能に支持されるための孔２０ａと、収納式切刃２０の長手方向に伸びる長孔２０ｂとが形成され、この収納式切刃１８を揺動させるためのノブ２１が壁板３の外側に設置される。このノブ２１は、ノブ２１を回転させるためのノブ部２１ａと、壁板３に形成された孔２２と回転自在に係合する段付部２１ｂと、ノブ部２１ａ及び段付部２１ｂの中心と偏心して段付部２１ｂから内側に突出する偏心軸２１ｃとから構成される。ここで、偏心軸２１ｃは長孔２０ｂを貫通し、長孔２０ｂの長手方向の長さは偏心軸２１ｃの偏心量に応じて設定される。具体的には偏心軸２１ｃが１回転しないように設定される。つまり、偏心軸２１ｃの軸心の移動軌跡はＣ字状になる。したがって、ノブ部２１ａを回転することにより、偏心軸２１ｃに嵌合する長孔部２０ｂが変位し、結果として収納式切刃２０が揺動する。長孔２０ｂの長さが偏心軸２１ｃが１回転しないように規定されており、長孔２０ｂの端部に偏心軸２１ｃが接触することで、収納式切刃２０が固定される。つまり、収納式切刃２０が切刃部２０ｃが壁板３の底面より下側に突出する状態と、テープカッター本体１００内に収納される状態それぞれで固定される。
【００２４】
この実施形態の収納式切刃では、その揺動を偏心軸を用いて行うため、構成が簡潔となり低コスト化を図ることができる。
【００２５】
次に図７を用いて、粘着テープ５０を押さえて、その切断を容易にする押さえ部材３０について説明する。図７は、粘着テープ繰り出し方向にテープカッター本体を２分割した時の壁板３の内面の構成図である。
【００２６】
押さえ部材３０は、一端３０ａを壁板３に揺動可能に支持され、他端３０ｂは刃部２の上端２ａに上方から接触するように掛け渡される。他端３０ｂには、粘着テープ５０を切断するカッター刃３１が、刃部２に設けられたカッター刃１１より粘着テープ繰り出し方向下流側に設置される。
【００２７】
そして、この押さえ部材３０を親指等により刃部２に押し付けるようにして、押さえ部材３０が刃部２との間に粘着テープ５０を挟持して粘着テープ５０を確実に固定しつつ、カッター刃３１または１１により切断する。特にカッター刃３１を用いて切断することにより、切断箇所が、カッター刃１１による切断箇所より繰り出された位置で切断されることになり、次回切断時に刃部２より突出した粘着テープ５０を把持して容易に粘着テープ５０を繰り出すことができる。なお、他端３０ｂには、粘着テープ５０を確実に固定するためにゴム材等からなるストッパ３２を設置してもよい。
【００２８】
このように、粘着テープ５０を上方から押さえる押さえ部材３０を設けることにより、切断し難い粘着テープ、例えば両面テープ等を容易に切断することができる。
【００２９】
図７に示した粘着テープの押さえ部材は、図１から図６に示した収納式切刃を備えたテープカッターに適用することができる。
【００３０】
本発明は上記の実施の形態に限定されずに、その技術的な思想の範囲内において種々の変更がなしうることは明白である。
【産業上の利用可能性】
【００３１】
本発明のテープカッターに備えられる収納式切刃は、ダンボール等に貼付された粘着テープの切断に有効である。
【図面の簡単な説明】
【００３２】
【図１】本発明の実施例を示す斜視図である。
【図２】実施例の正面図である。
【図３】実施例の円筒部の中心軸の軸直方向に２分割した右側分解構成図である。
【図４】実施例の円筒部の中心軸軸直方向に２分割した左側分解構成図である。
【図５】収納式切刃の詳細説明図である。
【図６】他の収納式切刃の詳細説明図である。
【図７】押さえ部材の詳細を説明する断面図である。
【符号の説明】
【００３３】
１  円筒部
２  刃部
３、４  壁板
５、６  円筒部片
７  凸部
８  凹部
９、１０  覆板
１１  カッター刃
１５  収納式切刃
１００  テープカッター本体
【図１】
2006124144.tif 000003
【図２】
2006124144.tif 000004
【図３】
2006124144.tif 000005
【図４】
2006124144.tif 000006
【図５】
2006124144.tif 000007
【図６】
2006124144.tif 000008
【図７】
2006124144.tif 000009